(57)【要約】【課題】機能性を向上する。【解決手段】紙幣処理システム１は、上位制御部４と紙幣処理装置６とを設け、上位制御部４は、使用者の口座に応じ設定された入金限度金額を読み出し、該入金限度金額を示す入金限度金額情報を紙幣処理装置６へ送信する入金限度金額取扱部２９を有し、紙幣処理装置６は、入金される紙幣を受け付ける入金部１２と、入金部１２と接続され紙幣を搬送する搬送部１５と、入金部１２から搬送された紙幣を鑑別する鑑別部１６と、鑑別部１６の鑑別結果に基づき、入金される金額を計数する入金金額計数部３０と、上位制御部４から取得した入金限度金額情報により示される入金限度金額と入金金額計数部３０の計数結果とを逐次比較し、計数結果が入金限度金額を超えたか否かを判定する逐次比較部３１と、計数結果が入金限度金額を超えた場合、紙幣の搬送を停止させる搬送制御部３２と設ける。【選択図】図１１
2020046828.tif 000002
【特許請求の範囲】
【請求項１】
入金される紙幣を受け付ける入金部と、
前記入金部と接続され前記紙幣を搬送する搬送部と、
前記入金部から搬送された前記紙幣を鑑別する鑑別部と、
前記鑑別部の鑑別結果に基づき、入金される金額を計数する入金金額計数部と、
所定の入金限度金額と前記入金金額計数部の計数結果とを逐次比較し、前記計数結果が前記入金限度金額を超えたか否かを判定する逐次比較部と、
前記計数結果が前記入金限度金額を超えた場合、前記紙幣の搬送を停止させる搬送制御部と
を有する紙幣処理装置。
【請求項２】
前記搬送制御部は、
前記計数結果が前記入金限度金額を超えたと前記逐次比較部が検出した場合、前記入金部に投入された全ての前記紙幣が前記搬送部に繰り出されるよりも前に、前記入金部からの前記紙幣の繰り出しを停止させる
請求項１に記載の紙幣処理装置。
【請求項３】
前記搬送制御部は、
前記計数結果が前記入金限度金額を超えたと前記逐次比較部が検出した場合、前記入金限度金額に達したと判定された前記紙幣の後続の紙幣が前記鑑別部に到達するよりも前に、前記入金部からの前記紙幣の繰り出しを停止させる
請求項２に記載の紙幣処理装置。
【請求項４】
前記逐次比較部は、
前記入金限度金額と前記計数結果とを、１枚の前記紙幣毎に逐次比較する
請求項１に記載の紙幣処理装置。
【請求項５】
前記搬送制御部は、
前記計数結果が前記入金限度金額を超えたと前記逐次比較部が検出した場合、前記搬送部の駆動を停止させるのよりも先に、前記入金部から前記紙幣を繰り出す分離機構の駆動を停止させる
請求項１に記載の紙幣処理装置。
【請求項６】
前記搬送制御部は、
前記分離機構の駆動を停止させた後も前記搬送部を駆動させ、前記分離機構が停止した時点において前記入金部から前記搬送部へ既に繰り出されている前記紙幣を所定の搬送先へ搬送し終わった後に、前記搬送部の駆動を停止させる
請求項５に記載の紙幣処理装置。
【請求項７】
前記入金部は、
前記搬送部の駆動が停止した後に、前記分離機構が停止した時点において前記入金部から繰り出し途中の紙幣と、前記入金部に残留している紙幣とを、使用者に受け渡す
請求項６に記載の紙幣処理装置。
【請求項８】
前記逐次比較部は、
前記計数結果と、前記紙幣処理装置の外部から取得された前記入金限度金額とを逐次比較する
請求項１に記載の紙幣処理装置。
【請求項９】
出金する前記紙幣を使用者に受け渡す出金部を前記入金部とは別にさらに有する
請求項１に記載の紙幣処理装置。
【請求項１０】
出金する前記紙幣を使用者に受け渡す出金部が前記入金部と一体に形成されている
請求項１に記載の紙幣処理装置。
【請求項１１】
前記搬送制御部は、
前記入金部から繰り出された前記紙幣を一時保留部へ一旦収納させた後に、入金取引の完了が使用者により選択されると、前記一時保留部から所定の収納先へ前記紙幣を搬送させる
請求項１に記載の紙幣処理装置。
【請求項１２】
前記搬送制御部は、
前記入金部から繰り出された前記紙幣を一時保留部を介さずに、所定の収納先へ搬送させる
請求項１に記載の紙幣処理装置。
【請求項１３】
前記入金限度金額は、使用者の口座に応じて設定されている
請求項１に記載の紙幣処理装置。
【請求項１４】
上位制御装置と紙幣処理装置とを有し、
前記上位制御装置は、
使用者の口座に応じ設定された入金限度金額を読み出し、該入金限度金額を示す入金限度金額情報を前記紙幣処理装置へ送信する入金限度金額取扱部
を有し、
前記紙幣処理装置は、
入金される紙幣を受け付ける入金部と、
前記入金部と接続され前記紙幣を搬送する搬送部と、
前記入金部から搬送された前記紙幣を鑑別する鑑別部と、
前記鑑別部の鑑別結果に基づき、入金される金額を計数する入金金額計数部と、
前記上位制御装置から取得した前記入金限度金額情報により示される前記入金限度金額と前記入金金額計数部の計数結果とを逐次比較し、前記計数結果が前記入金限度金額を超えたか否かを判定する逐次比較部と、
前記計数結果が前記入金限度金額を超えた場合、前記紙幣の搬送を停止させる搬送制御部と
を有する紙幣処理システム。
【請求項１５】
カード読取装置により読み取られたカード情報に含まれる口座番号毎に、前記入金限度金額を取り扱う入金限度金額取扱部
をさらに有する請求項１４に記載の紙幣処理システム。
【請求項１６】
カード読取装置により読み取られたカード情報に含まれる口座番号が分類された口座の種類毎に、前記入金限度金額を取り扱う入金限度金額取扱部
をさらに有する請求項１４に記載の紙幣処理システム。
【発明の詳細な説明】
【技術分野】
【０００１】
本発明は紙幣処理装置及び紙幣処理システムに関し、例えば金融機関の窓口に設置され、紙幣に関する取引処理を行う紙幣処理装置（いわゆるテラーマシン）に適用して好適なものである。
【背景技術】
【０００２】
従来、紙幣処理装置としては、金融機関において職員（いわゆるテラー）や顧客等の使用者に操作されることにより、使用者との間で現金の入金や出金等のような種々の取引処理を行うものが広く普及している。紙幣処理装置には、例えば使用者から紙幣を受け取ると共に使用者に紙幣を引き渡す接客部と、紙幣を所定の搬送路に沿って搬送する搬送部と、紙幣を鑑別する鑑別部と、紙幣を一時的に保留する一時保留部と、紙幣を収納する紙幣カセットと、再利用すべきでないと鑑別された紙幣を収納するリジェクト庫とが設けられている。
【０００３】
そのような紙幣処理装置においては、入金時において入金金額を計数し、予め設定された入金限度金額をオーバーしたか否かを検知するものがある（例えば、特許文献１参照）。
【先行技術文献】
【特許文献】
【０００４】
【特許文献１】特開平１１−３１２２６６号公報
【発明の概要】
【発明が解決しようとする課題】
【０００５】
しかしながらそのような紙幣処理装置においては、設定された入金限度金額よりも多くの紙幣が接客部に挿入された場合、入金限度金額を超えた分の紙幣は入金させないため計数する必要がないにも関わらず、挿入された全ての紙幣を計数していたため、取引時間が無駄に長くかかってしまい、機能性が低下するおそれがあった。
【０００６】
本発明は以上の点を考慮してなされたもので、機能性を向上し得る紙幣処理装置及び紙幣処理システムを提案しようとするものである。
【課題を解決するための手段】
【０００７】
かかる課題を解決するため本発明の紙幣処理装置においては、入金される紙幣を受け付ける入金部と、入金部と接続され紙幣を搬送する搬送部と、入金部から搬送された紙幣を鑑別する鑑別部と、鑑別部の鑑別結果に基づき、入金される金額を計数する入金金額計数部と、所定の入金限度金額と入金金額計数部の計数結果とを逐次比較し、計数結果が入金限度金額を超えたか否かを判定する逐次比較部と、計数結果が入金限度金額を超えた場合、紙幣の搬送を停止させる搬送制御部とを設けるようにした。
【０００８】
また本発明の紙幣処理システムにおいては、上位制御装置と紙幣処理装置とを設け、上位制御装置は、使用者の口座に応じ設定された入金限度金額を読み出し、該入金限度金額を示す入金限度金額情報を紙幣処理装置へ送信する入金限度金額取扱部を有し、紙幣処理装置は、入金される紙幣を受け付ける入金部と、入金部と接続され紙幣を搬送する搬送部と、入金部から搬送された紙幣を鑑別する鑑別部と、鑑別部の鑑別結果に基づき、入金される金額を計数する入金金額計数部と、上位制御装置から取得した入金限度金額情報により示される入金限度金額と入金金額計数部の計数結果とを逐次比較し、計数結果が入金限度金額を超えたか否かを判定する逐次比較部と、計数結果が入金限度金額を超えた場合、紙幣の搬送を停止させる搬送制御部とを有するようにした。
【発明の効果】
【０００９】
本発明によれば、入金限度金額と計数結果とを逐次比較し計数結果が入金限度金額に達した場合、入金部からの紙幣の繰り出しを直ちに停止させることにより、入金部から全ての紙幣を繰り出すよりも前に、計数動作を停止させることができる。
【図面の簡単な説明】
【００１０】
【図１】第１及び第２の実施の形態による紙幣処理装置の内部構成を示す左側面図である。
【図２】第１の実施の形態による入金限度金額表を示す図である。
【図３】第１及び第２の実施の形態による紙幣処理装置の機能構成を示すブロック図である。
【図４】第１の実施の形態による紙幣処理装置における紙幣の搬送（１）を示す左側面図である。
【図５】第１の実施の形態による紙幣処理装置における紙幣の搬送（２）を示す左側面図である。
【図６】第１の実施の形態による紙幣処理装置における紙幣の搬送（３）を示す左側面図である。
【図７】第１の実施の形態による紙幣処理装置における紙幣の搬送（４）を示す左側面図である。
【図８】第１の実施の形態による紙幣処理装置における紙幣の搬送（５）を示す左側面図である。
【図９】第１の実施の形態による紙幣処理装置における紙幣の搬送（６）を示す左側面図である。
【図１０】第１の実施の形態による紙幣処理装置における紙幣の搬送（７）を示す左側面図である。
【図１１】第１の実施の形態による入金処理手順（１）を示すフローチャートである。
【図１２】第１の実施の形態による入金処理手順（２）を示すフローチャートである。
【図１３】第２の実施の形態による入金限度金額表を示す図である。
【図１４】第２の実施の形態による入金処理手順（１）を示すフローチャートである。
【図１５】第２の実施の形態による入金処理手順（２）を示すフローチャートである。
【図１６】第３の実施の形態による紙幣処理装置の内部構成を示す左側面図である。
【図１７】第３の実施の形態による入金処理手順（１）を示すフローチャートである。
【図１８】第３の実施の形態による入金処理手順（２）を示すフローチャートである。
【発明を実施するための形態】
【００１１】
以下、発明を実施するための形態（以下実施の形態とする）について、図面を用いて説明する。
【００１２】
［１．第１の実施の形態］
［１−１．紙幣処理システムの構成］
図１に示すように、第１の実施の形態による紙幣処理システム１は、ホスト２、上位制御装置２０、紙幣処理装置６及びカード読取装置８により構成されており、上位制御装置２０と紙幣処理装置６とが通信回線９により接続されている。
【００１３】
ホスト２は、例えばサーバであり、図２に示す入金限度金額表ＴＢ１を記憶している。入金限度金額表ＴＢ１は、金融機関の顧客毎の口座番号と、該口座番号の顧客が１回の入金取引において入金可能な限度金額である入金限度金額とを対応付けて記憶している。すなわち入金限度金額表ＴＢ１は、口座番号が「１１１１１」の顧客の１回の入金取引における入金限度金額は「１００，０００円」であり、口座番号が「２２２２２」の顧客の１回の入金取引における入金限度金額は「１，０００，０００円」であり、口座番号が「３３３３３」の顧客の１回の入金取引における入金限度金額は「５００，０００円」であり、口座番号が「４４４４４」の顧客の１回の入金取引における入金限度金額は「１，０００，０００円」であることを示している。
【００１４】
上位制御装置２０は、例えばパーソナルコンピュータであり、所定の通信回線９により紙幣処理装置６と接続されている。上位制御装置２０は、上位制御部４と操作表示部２３とを有している。上位制御部４は、取引用アプリケーションを実行することにより、カード読取装置８を制御したり、取引用アプリケーション画面を操作表示部２３に表示させたり、ホスト２から入金限度金額情報を取得して制御部１１へ送出したりする。操作表示部２３は、取引に際して操作画面を表示するＬＣＤ（Liquid Crystal Display）と、取引の種類の選択、暗証番号や取引金額等を入力するタッチセンサとが一体化されたタッチパネルとなっている。
【００１５】
カード読取装置８は、キャッシュカード等の各種カードが挿入又は排出され、各種カードに磁気記録された口座番号等の読み取りを上位制御部４の制御により行う。
【００１６】
第１の実施の形態による紙幣処理装置６は、例えば金融機関に設置される現金処理装置（いわゆるテラーマシン）であり、金融機関の職員や顧客（以下これを使用者と呼ぶ）の操作により、現金（特に紙幣）に関する入金取引や出金取引等の各種取引を行う。以下では、紙幣処理装置６のうち使用者が対峙する正面側を前側とし、その反対を後側とし、前側から見た場合の左及び右をそれぞれ左側及び右側とし、さらに上側及び下側を定義して説明する。
【００１７】
紙幣処理装置６には、内部に、制御部１１、入金部１２、第１出金部１３ａ、第２出金部１３ｂ、搬送部１５、鑑別部１６、一時保留部１７、複数の紙幣カセット１８及びリジェクト庫１９が設けられていると共に、外部に、表示部２１、ボタン２４及びボタン２５が設けられている。
【００１８】
表示部２１は、第１出金部１３ａ及び第２出金部１３ｂに搬送した紙幣枚数のカウンタを表示したり、紙幣処理装置６を保守する際に必要な項目を入力したり表示したりすることに用いられる。ボタン２４及びボタン２５は、物理キーであり、完了指示等の入力操作時に用いられる。
【００１９】
制御部１１は、紙幣処理装置６の全体を統括的に制御している。この制御部１１は、図示しないＣＰＵ（Central Processing Unit）を中心に構成され、図示しないＲＯＭやフラッシュメモリ等から装置側プログラムを読み出して実行することにより、上位制御部４等と連携しながら、入金処理や出金処理等のような種々の処理を行う。また制御部１１は、内部にＲＡＭ（Random Access Memory）やフラッシュメモリ等でなる記憶部を有しており、この記憶部に種々の情報やプログラム等を記憶させる。
【００２０】
入金部１２は、紙幣処理装置６の上側に配置されており、内部に紙幣を集積した状態で収納する集積空間と、集積空間に集積されている紙幣を１枚ずつに分離して繰り出し搬送部１５に引き渡すローラ等からなる分離機構１２ａ等を有している。入金部１２は、集積された紙幣が使用者により集積空間内に投入されると、これを１枚ずつに分離する紙幣分離動作を行って繰り出し、搬送部１５に引き渡す。
【００２１】
第１出金部１３ａは、入金部１２の前方に配置されており、内部に紙幣を集積した状態で収納する集積空間と、搬送部１５から搬送されてきた紙幣を集積する集積機構等を有している。第１出金部１３ａは、搬送部１５から紙幣が搬送されてくると紙幣を集積空間内へ放出して集積させた後、シャッタを開放して使用者に紙幣を取り出させる。第２出金部１３ｂは、第１出金部１３ａの前方に配置されており、第１出金部１３ａと同様に構成されている。第２出金部１３ｂは、搬送部１５から紙幣が搬送されてくると紙幣を集積空間内へ放出して集積させた後、該シャッタを開放して使用者に紙幣を取り出させる。以下では第１出金部１３ａ及び第２出金部１３ｂをまとめて出金部１３とも呼ぶ。
【００２２】
搬送部１５は、紙幣処理装置６内の各部を結ぶ搬送路Ｙに沿って配置された各種ローラやベルト、並びにこれらを駆動するためのギアやモータ等により構成されている。また搬送部１５は、搬送路Ｙの分岐点に図示しない切替器を適宜配置している。この搬送部１５は、制御部１１の制御に基づき、搬送路Ｙに沿って紙幣を搬送すると共に、切替器により該紙幣の搬送先を切り替える。因みに図１では、搬送部１５を構成する部品の一部のみを模式的に示している。搬送部１５は、入金部１２から出金部１３まで紙幣を戻すことなく搬送可能に構成されている。また搬送部１５は、入金部１２の分離機構１２ａとは独立して駆動するように構成されている。
【００２３】
鑑別部１６は、入金部１２の後方下側であって、搬送部１５の搬送路Ｙ上に配置されている。この鑑別部１６は、種々のセンサを有しており、搬送部１５により搬送されてくる紙幣の金種、真偽、正損、走行状態などを基に、取り扱うことのできる取扱可能紙幣であるか否かを鑑別し、その鑑別結果を制御部１１へ送出する。また鑑別部１６は、紙幣における損傷の程度を基に、再利用することができる再利可能紙幣であるか否かを鑑別し、その鑑別結果を制御部１１へ送出することもできる。
【００２４】
一時保留部１７は、第２出金部１３ｂの下側に配置されており、搬送部１５により搬送されてきた紙幣を内部に一時的に収納して保留し、また保留している紙幣を１枚ずつ搬送部１５へ繰り出す。
【００２５】
紙幣処理装置６内の下部には、リジェクト庫１９が最も前側で、その後ろに紙幣カセット１８ｅ、１８ｄ、１８ｃ、１８ｂ及び１８ａが前後方向に並んで設けられている。以下では紙幣カセット１８ａ、１８ｂ、１８ｃ、１８ｄ及び１８ｅをまとめて紙幣カセット１８とも呼ぶ。各紙幣カセット１８は、内部に紙幣を集積した状態で収納する集積空間と、搬送部１５から搬送されてきた紙幣を該集積空間内へ放出して集積させる放出機構と、集積空間内に集積されている紙幣を１枚ずつに分離して繰り出し搬送部１５に引き渡す分離機構等を有している。この紙幣カセット１８は、搬送部１５から搬送されてくる紙幣（正常紙幣）を上下方向に重ねて内部に収納し、また収納している紙幣を１枚ずつ繰り出して搬送部１５へ受け渡す。
【００２６】
リジェクト庫１９は、内部に紙幣を収納する集積空間や、搬送部１５から搬送されてきた紙幣を該集積空間内へ放出して集積させる放出機構等を有している。このリジェクト庫１９は、鑑別部１６において再利用不可能と鑑別された紙幣（リジェクト券）が搬送部１５により搬送されてくると、内部に収納する。
【００２７】
かかる構成において紙幣処理装置６は、鑑別部１６による紙幣の鑑別結果等をもとに制御部１１が各部を制御して、入金処理、収納処理及び出金処理等を行う。
【００２８】
例えば使用者が紙幣処理装置６との間で入金取引を行う場合、制御部１１は、上位制御部４等と連携しながら、入金部１２のシャッタを開いて紙幣を投入させる。入金部１２は、紙幣が投入されると、シャッタを閉じてから分離機構１２ａにより紙幣を１枚ずつに分離して搬送部１５へ引き渡す。搬送部１５は、受け取った紙幣を搬送すると共に鑑別部１６により鑑別させ、得られた鑑別結果を制御部１１へ通知する。これに応じて制御部１１は、各紙幣の搬送先を決定する。このとき制御部１１は、鑑別部１６において正常と鑑別された紙幣（いわゆる正券）を一時保留部１７へ搬送して一時的に保留させる一方、取引すべきでないと鑑別された紙幣（いわゆる損券や偽券等）を第２出金部１３ｂへ搬送して行員に返却する。
【００２９】
その後制御部１１は、操作表示部２３を介して使用者に入金金額を確定させ、一時保留部１７に保留している紙幣を鑑別部１６へ搬送させてその金種及び損傷の程度等を鑑別させ、その鑑別結果を取得する。続いて制御部１１は、紙幣の損傷の程度が大きければ、これを再利用すべきでないリジェクト券として、リジェクト庫１９へ搬送して収納させる。また制御部１１は、紙幣の損傷の程度が小さければ、これを再利用すべき紙幣とし、その金種に応じた紙幣カセット１８へ搬送して収納させる。
【００３０】
一方、例えば使用者が紙幣処理装置６との間で出金取引を行う場合、制御部１１は、上位制御部４等と連携しながら、操作表示部２３を介して所定の操作入力を受け付けた後、出金すべき金額に応じた紙幣を紙幣カセット１８から繰り出させる。続いて制御部１１は、この紙幣を搬送部１５に引き渡し、該搬送部１５により鑑別部１６へ搬送して鑑別させた上で第１出金部１３ａ又は第２出金部１３ｂへ搬送する。第１出金部１３ａ又は第２出金部１３ｂは、シャッタを開いてこの紙幣を使用者に取り出させる。
【００３１】
［１−２．紙幣処理システムの機能構成］
ここで、紙幣処理システム１における後述する入金処理に関係する基本的な機能を、図３に機能ブロック図として示す。紙幣処理システム１は、上位制御部４（図１）が取引用アプリケーションを実行すると共に紙幣処理装置６の制御部１１（図１）が所定の装置側プログラムを実行することにより、入金限度金額取扱部２９、入金金額計数部３０、逐次比較部３１及び搬送制御部３２の各機能ブロックを実現する。入金限度金額取扱部２９は、ホスト２、上位制御部４及びカード読取装置８と対応しており、カード読取装置８に挿入されたカードに記録されたカード情報に含まれる口座番号に対応する入金限度金額を入金限度金額表ＴＢ１（図２）から取得し、入金取引における入金限度金額として取り扱う。入金金額計数部３０は、制御部１１及び鑑別部１６と対応しており、鑑別部１６の鑑別結果に基づき、入金される金額を計数する。逐次比較部３１は、制御部１１と対応しており、所定の入金限度金額と入金金額計数部３０の計数結果とを１枚の紙幣毎に逐次比較し、計数結果が入金限度金額を超えたか否かを判定する。搬送制御部３２は、制御部１１及び入金部１２と対応しており、分離機構１２ａ及び搬送部１５を制御し、計数結果が入金限度金額を超えた場合、分離機構１２ａのローラを停止させることにより、入金部１２からの繰り出し、すなわち紙幣の搬送を停止させる。
【００３２】
［１−３．入金処理］
次に、紙幣処理システム１による入金処理の具体的な処理手順について、図１１及び図１２に示すフローチャートを用いて詳細に説明する。上位制御部４は、取引用アプリケーションを実行することにより図１１に示す入金処理手順ＲＴ１を開始し、操作表示部２３の取引用アプリケーション画面に入金取引用画面を表示させ、ステップＳＰ１へ移る。ステップＳＰ１において上位制御部４は、使用者によりカード読取装置８にカードが挿入され入金部１２へ紙幣が挿入されるのを待ち受け、ステップＳＰ２へ移る。ステップＳＰ２において上位制御部４は、取引用アプリケーションにより、カードからカード情報を読み取り、該カード情報に含まれる口座番号に対応する入金限度金額を入金限度金額表ＴＢ１（図２）から入金限度金額取扱部２９により取得し、ステップＳＰ３へ移る。ステップＳＰ３において上位制御部４は、取引用アプリケーション画面の紙幣セット完了ボタンが使用者により押下されるのを待ち受け、ステップＳＰ４へ移る。なお使用者は、取引用アプリケーション画面の紙幣セット完了ボタンではなく、ボタン２４又はボタン２５（図１）を押下しても良い。
【００３３】
ステップＳＰ４において上位制御部４は、取得した該当口座の入金限度金額を示す入金限度金額情報を取引用アプリケーションの入金限度金額取扱部２９から制御部１１の装置側プログラムへ送出し、入金計数開始指示を装置側プログラムへ行う。なお上位制御部４は、取引用アプリケーション画面の紙幣セット完了ボタンが使用者に押されることを待つのではなく、入金部１２への紙幣挿入を検知したら自動的に計数を開始しても良い。
【００３４】
ステップＳＰ５において制御部１１は、記憶部から装置側プログラムを読み出して実行し、装置側プログラムが入金計数開始指示を受けると、装置側プログラムにより、まず搬送部１５の搬送動作を開始した後に、入金部１２の分離機構１２ａによる紙幣分離動作を開始し、紙幣を入金部１２から１枚ずつ鑑別部１６へ搬送し、ステップＳＰ６へ移る。ステップＳＰ６において制御部１１は、入金部１２に挿入された紙幣を全て繰り出したことにより入金が完了したか否かを判定する。ここで否定結果が得られると、このことは入金が未だ完了していないことを表し、このとき制御部１１はステップＳＰ７へ移る。一方入金が正常に完了しステップＳＰ６において肯定結果が得られると、このとき制御部１１はステップＳＰ１６（図１２）へ移る。
【００３５】
ステップＳＰ７において制御部１１は、鑑別部１６により紙幣を鑑別させて鑑別結果を取得し、鑑別結果が正常券であったか又はリジェクト券であったかを判定する。ここでリジェクト券であるとの鑑別結果が得られると、このとき制御部１１はステップＳＰ８へ移る。ステップＳＰ８において制御部１１は、リジェクト券を鑑別部１６から第２出金部１３ｂへ搬送し、ステップＳＰ６へ戻り、入金が完了するまで上述した処理を繰り返す。このとき、第２出金部１３ｂがフルの場合、すなわち第２出金部１３ｂの紙幣の収納量が上限に達した場合、制御部１１は、リジェクト券を鑑別部１６から第１出金部１３ａへ搬送する。
【００３６】
一方ステップＳＰ７において正常券であるとの鑑別結果が得られると、このことは紙幣の金種が判明したことを表し、このとき制御部１１はステップＳＰ９へ移る。ステップＳＰ９において制御部１１は、入金金額計数部３０により、鑑別部１６で認識した金額を、今回の入金取引で正常券と判別された紙幣の現在の累計入金金額に加算することにより、入金金額を計数し、ステップＳＰ１０へ移る。
【００３７】
ステップＳＰ１０において制御部１１は、累計入金金額が、取引用アプリケーションから取得した入金限度金額情報により示される入金限度金額を超えたか否か、すなわち入金限度金額オーバーが発生したか否かを逐次比較部３１により判定する。ここで否定結果が得られると、このことは現時点では累計入金金額が入金限度金額をオーバーしていないことを表し、このとき制御部１１はステップＳＰ１１へ移る。ステップＳＰ１１において制御部１１は、正常券を鑑別部１６から一時保留部１７へ搬送し、ステップＳＰ６へ戻り、入金が完了するまで上述した処理を繰り返す。
【００３８】
一方ステップＳＰ１０において肯定結果が得られると、このことは鑑別部１６を紙幣が通過した際に累計入金金額を計数した時点で該累計入金金額が入金限度金額をオーバーしたことを表し、このとき制御部１１は、ステップＳＰ１２へ移る。
【００３９】
ステップＳＰ１２において制御部１１は、入金部１２の分離機構１２ａによる紙幣分離動作を搬送制御部３２により停止し、ステップＳＰ１３（図１２）へ移る。この状態においては、図４に示すように、紙幣処理装置６内には、未鑑別紙幣ＢＬ１、鑑別済入金限度金額以内紙幣ＢＬ２及び入金限度金額オーバー検知紙幣ＢＬ３の３種類の紙幣が存在している。入金限度金額オーバー検知紙幣ＢＬ３は、入金限度金額オーバーと判定された紙幣である。未鑑別紙幣ＢＬ１は、入金限度金額オーバー検知紙幣ＢＬ３の後続の紙幣、すなわち未だ鑑別部１６によって鑑別されていない紙幣である。鑑別済入金限度金額以内紙幣ＢＬ２は、正常券及びリジェクト券を含み、鑑別部１６において既に鑑別され一時保留部１７又は第２出金部１３ｂへ搬送される紙幣のうち、入金限度金額オーバー検知紙幣ＢＬ３よりも先行する紙幣である。
【００４０】
また未鑑別紙幣ＢＬ１は、入金部繰出済紙幣ＢＬ１ａ、入金部分離途中紙幣ＢＬ１ｂ及び入金部残留紙幣ＢＬ１ｃの３種類の紙幣が存在している。入金部繰出済紙幣ＢＬ１ａは、鑑別部１６と入金部１２との間の搬送路Ｙに位置し入金部１２から既に繰り出されている紙幣である。入金部分離途中紙幣ＢＬ１ｂは、入金部繰出済紙幣ＢＬ１ａよりも後続であり入金部１２から繰り出されている途中、すなわち分離機構１２ａのローラに当接している紙幣である。入金部残留紙幣ＢＬ１ｃは、入金部分離途中紙幣ＢＬ１ｂよりも後続であり入金部１２内に集積されており未だ入金部１２から繰り出され始めていない、すなわち分離機構１２ａのローラに当接していない紙幣である。
【００４１】
ステップＳＰ１３において制御部１１は、図５に示すように入金限度金額オーバー検知紙幣ＢＬ３と入金部繰出済紙幣ＢＬ１ａとを第２出金部１３ｂへ搬送し、ステップＳＰ１４へ移る。このとき入金限度金額オーバー検知紙幣ＢＬ３よりも先行する鑑別済入金限度金額以内紙幣ＢＬ２は、第２出金部１３ｂ又は一時保留部１７へ搬送される。ステップＳＰ１４において制御部１１は、入金限度金額オーバー検知紙幣ＢＬ３及び入金部繰出済紙幣ＢＬ１ａの第２出金部１３ｂへの搬送が完了すると、搬送部１５の搬送動作を停止し、ステップＳＰ１５へ移る。ステップＳＰ１５において制御部１１は、全ての搬送動作が停止すると、図６に示すように入金部分離途中紙幣ＢＬ１ｂ及び入金部残留紙幣ＢＬ１ｃを使用者に受け渡し、ステップＳＰ１６へ移る。ステップＳＰ１６において制御部１１は、図７に示すように、第１出金部１３ａ及び第２出金部１３ｂへ集積させた、鑑別済入金限度金額以内紙幣ＢＬ２のうちのリジェクト券と入金限度金額オーバー検知紙幣ＢＬ３と入金部繰出済紙幣ＢＬ１ａとである出金部残留紙幣を使用者に受け渡し、ステップＳＰ１７へ移る。
【００４２】
ステップＳＰ１７において上位制御部４は、入金部１２及び出金部１３からの紙幣の受け取りが完了すると、取引用アプリケーション画面に入金で受け付けた金額を表示させ、取引の完了又は取消のどちらかを使用者に選択させ、取引の完了が使用者に選択されたか否かを判定し、判定結果を制御部１１へ送出する。ここで肯定結果が得られると、このことは使用者が入金取引を完了させることを望んでいることを表し、このとき制御部１１は、ステップＳＰ１８へ移る。ステップＳＰ１８において制御部１１は、図８に示すように、一時保留部１７内に集積した鑑別済入金限度金額以内紙幣ＢＬ２（正常券）を、鑑別部１６により判別された金種が設定されている紙幣カセット１８へ搬送して収納し、ステップＳＰ２０へ移り入金処理手順ＲＴ１を終了する。
【００４３】
一方ステップＳＰ１７において否定結果が得られると、このことは使用者が入金取引を取り消して中断することを望んでいることを表し、このとき制御部１１は、ステップＳＰ１９へ移る。ステップＳＰ１９において制御部１１は、図９に示すように一時保留部１７内に集積した鑑別済入金限度金額以内紙幣ＢＬ２（正常券）を第２出金部１３ｂへ搬送して図１０に示すように使用者に受け渡し、ステップＳＰ２０へ移り入金処理手順ＲＴ１を終了する。
【００４４】
［１−４．効果等］
以上の構成において紙幣処理装置６は、入金取引において入金部１２から紙幣を１枚ずつ繰り出して搬送して鑑別部１６を通過する際に計数し、入金限度金額と計数結果（累計入金金額）とを１枚毎に逐一比較し、計数結果が入金限度金額に達したか否かを１枚計数する毎に判定し、入金限度金額をオーバーしたと検知した場合、即座に入金部１２の分離機構１２ａの駆動を停止させて入金部１２からの紙幣の繰り出しを停止するようにした。
【００４５】
このため紙幣処理装置６は、入金部１２に挿入された全紙幣を搬送するよりも前に入金部１２からの紙幣の繰り出しを停止させることができる。これにより紙幣処理装置６は、入金限度金額オーバーが発生した際に入金部１２に挿入された全紙幣を搬送しないため、無駄な搬送時間を削減することができ、入金取引時間を短縮できる。
【００４６】
また従来の紙幣処理装置においては、設定された入金限度金額よりも多くの紙幣が挿入された場合であっても、挿入された全ての紙幣を計数していた、すなわち入金限度金額オーバー検知後も無駄な紙幣を搬送していたため、入金限度金額オーバー検知紙幣ＢＬ３の後続の紙幣の搬送中にジャムエラー等の障害が発生する可能性があった。
【００４７】
これに対し紙幣処理装置６は、入金限度金額をオーバーしたと検知した場合、即座に入金部１２の分離機構１２ａの駆動を停止させて入金部１２からの紙幣の繰り出しを停止するようにした。このため紙幣処理装置６は、入金限度金額オーバー検知紙幣ＢＬ３の後続の紙幣の搬送中にジャムエラー等の障害が発生するリスクを回避できるため、障害発生率を低減できる。
【００４８】
また従来の紙幣処理装置においては、銀行やシステムにより入金限度金額が決まっており、口座毎に入金限度金額を変更したくても、入金限度金額を取引毎に変化させて取り扱うことができなかった。
【００４９】
これに対し紙幣処理装置６は、ホスト２に記憶された、口座番号と入金限度金額とを対応付けて記憶した入金限度金額表ＴＢ１（図２）から、現在入金取引を行おうとしている顧客の口座番号に対応した入金限度金額を示す入金限度金額情報を上位制御部４を介し取得することにより、口座毎に異なる入金限度金額を取り扱うことができる。
【００５０】
以上の構成によれば紙幣処理システム１は、上位制御部４と紙幣処理装置６とを設け、上位制御部４は、使用者の口座に応じ設定された入金限度金額を読み出し、該入金限度金額を示す入金限度金額情報を紙幣処理装置６へ送信する入金限度金額取扱部２９を有し、紙幣処理装置６は、入金される紙幣を受け付ける入金部１２と、入金部１２と接続され紙幣を搬送する搬送部１５と、入金部１２から搬送された紙幣を鑑別する鑑別部１６と、鑑別部１６の鑑別結果に基づき、入金される金額を計数する入金金額計数部３０と、上位制御部４から取得した入金限度金額情報により示される入金限度金額と入金金額計数部３０の計数結果とを逐次比較し、計数結果が入金限度金額を超えたか否かを判定する逐次比較部３１と、計数結果が入金限度金額を超えた場合、紙幣の搬送を停止させる搬送制御部３２と設けるようにした。これにより紙幣処理装置６は、入金限度金額と計数結果とを逐次比較し計数結果が入金限度金額に達した場合、入金部１２からの紙幣の繰り出しを直ちに停止させることにより、入金部１２から全ての紙幣を繰り出すよりも前に、計数動作を停止させることができる。
【００５１】
［２．第２の実施の形態］
［２−１．紙幣処理システムの構成］
図１に示すように、第２の実施の形態による紙幣処理システム１０１は、第１の実施の形態による紙幣処理システム１と比較して、紙幣処理装置６に代わる紙幣処理装置１０６を有する点において相違するものの、他の点については同様に構成されている。第２の実施の形態による紙幣処理装置１０６は、第１の実施の形態による紙幣処理装置６と比較して、制御部１１に代わる制御部１１１を有する点において相違するものの、他の点については同様に構成されている。この紙幣処理装置１０６は、入金時において入金紙幣を一時保留部１７へ一旦保留せずに、紙幣カセット１８へ直接搬送するよう制御する、いわゆるダイレクト入金を行う。
【００５２】
ホスト２は、図１３に示す入金限度金額表ＴＢ１０１を記憶している。入金限度金額表ＴＢ１０１は、顧客毎に割り当てられた属性である、口座の種類としての口座属性と、該口座属性の顧客が１回の入金取引において入金可能な限度金額である入金限度金額とを対応付けて記憶している。この口座属性は、１、２又は３の何れか１つが口座毎に割り当てられている。すなわち入金限度金額表ＴＢ１０１は、口座属性が「１」の顧客の１回の入金取引における入金限度金額は「１００，０００円」であり、口座属性が「２」の顧客の１回の入金取引における入金限度金額は「５００，０００円」であり、口座属性が「３」の顧客の１回の入金取引における入金限度金額は「１，０００，０００円」であることを示している。
【００５３】
［２−２．入金処理］
次に、紙幣処理装置１０６による入金処理手順ＲＴ１０１について、図１１及び図１２と対応するステップに同一符号を付した図１４及び図１５に示すフローチャートを用いて説明する。入金処理手順ＲＴ１０１は、入金処理手順ＲＴ１（図１１及び図１２）と比較して、ステップＳＰ１１に代わるステップＳＰ１１１が設けられている点とステップＳＰ１９に代わるステップＳＰ１１９が設けられている点とステップＳＰ１８が省略されている点において相違するものの、他の点については同様に構成されている。
【００５４】
ステップＳＰ１〜ステップＳＰ１０において上位制御部４及び制御部１１１は、入金処理手順ＲＴ１（図１１）と同様の処理を行い、ステップＳＰ１１１へ移る。ステップＳＰ１１１において制御部１１１は、正常券を鑑別部１６から一時保留部１７を介さずに鑑別部１６により判別された金種が設定されている紙幣カセット１８へ直接搬送し、ステップＳＰ６へ戻り、入金が完了するまで上述した処理を繰り返す。
【００５５】
またステップＳＰ１２〜ステップＳＰ１６において紙幣処理装置１０６の制御部１１１は、入金処理手順ＲＴ１（図１１及び図１２）と同様の処理を行い、ステップＳＰ１７へ移る。ステップＳＰ１７において上位制御部４は、入金部１２及び出金部１３からの紙幣の受け取りが完了すると、取引用アプリケーション画面に入金で受け付けた金額を表示させ、取引の完了又は取消のどちらかを使用者に選択させ、取引の完了が使用者に選択されたか否かを判定し、制御部１１１へ送出する。ここで肯定結果が得られると、このことは使用者が入金取引を完了させることを望んでいることを表し、このとき制御部１１１は、ステップＳＰ２０へ移り入金処理手順ＲＴ１０１を終了する。このように正常券は一時保留部１７を介さずに鑑別部１６から紙幣カセット１８へ直接搬送されているため、取引の完了が使用者に選択されると制御部１１１は、一時保留部１７から紙幣カセット１８へ紙幣を搬送するという動作を行うことなく、入金処理手順ＲＴ１０１を終了する。
【００５６】
一方ステップＳＰ１７において否定結果が得られると、制御部１１１は、ステップＳＰ１１９へ移り、紙幣カセット１８内の正常券を第２出金部１３ｂへ搬送して使用者に受け渡し、ステップＳＰ２０へ移り入金処理手順ＲＴ１０１を終了する。
【００５７】
このように紙幣処理装置１０６は、入金紙幣を一時保留部１７へ一旦保留せずに紙幣カセット１８へ直接搬送する入金取引においても、入金限度金額オーバーを検知したら即座に搬送を停止するため、無駄な搬送時間を削減することができる。
【００５８】
その他の点においても、第２の実施の形態による紙幣処理システム１０１は、第１の実施の形態による紙幣処理システム１と同様の作用効果を奏し得る。
【００５９】
［３．第３の実施の形態］
［３−１．紙幣処理システムの構成］
図１６に示すように、第３の実施の形態による紙幣処理システム２０１は、ホスト３４及び紙幣処理装置２０６により構成されており、ホスト３４と紙幣処理装置２０６とが通信回線４８により接続されている。ホスト３４は、例えばサーバであり、上述した入金限度金額表ＴＢ１（図２）を記憶している。
【００６０】
紙幣処理装置２０６は、例えば金融機関に設置される現金自動預払機（いわゆるＡＴＭ：Automatic Teller Machine）であり、顧客（以下これを使用者と呼ぶ）の操作により、現金（特に紙幣）に関する入金取引や出金取引等の各種取引を行う。この紙幣処理装置２０６は、入金部と出金部との区別がなく、１つの接客部４０が紙幣の挿入と受取を行う装置である。
【００６１】
紙幣処理装置２０６には、紙幣処理部３８の内部に、制御部３９、接客部４０、搬送部４１、鑑別部４２、一時保留部４３、複数の紙幣カセット４４、リジェクト庫４５及び取り忘れ庫４７が設けられていると共に、紙幣処理部３８の外部に上位制御部３５とカード読取部３６と操作表示部４６とが設けられている。上位制御部３５は、所定の通信回線３７により紙幣処理部３８と接続されている。上位制御部３５は、取引用アプリケーションを実行することにより、カード読取部３６を制御したり、取引用アプリケーション画面を操作表示部４６に表示させたり、ホスト３４から入金限度金額情報を取得して制御部３９へ送出したりする。カード読取部３６は、キャッシュカード等の各種カードが挿入又は排出され、各種カードに磁気記録された口座番号等の読み取りを上位制御部３５の制御により行う。
【００６２】
操作表示部４６は、取引に際して操作画面を表示するＬＣＤと、取引の種類の選択、暗証番号や取引金額等を入力するタッチセンサとが一体化されたタッチパネルとなっている。
【００６３】
制御部３９は、紙幣処理部３８の全体を統括的に制御している。この制御部３９は、図示しないＣＰＵを中心に構成され、図示しないＲＯＭやフラッシュメモリ等から所定のプログラムを読み出して実行することにより、上位制御部３５等と連携しながら、入金処理や出金処理等のような種々の処理を行う。また制御部３９は、内部にＲＡＭやフラッシュメモリ等でなる記憶部を有しており、この記憶部に種々の情報やプログラム等を記憶させる。
【００６４】
接客部４０は、紙幣処理部３８の上前側に配置されており、使用者との間で紙幣を受け渡すことにより、該使用者に紙幣を入金させ、又は該使用者に紙幣を出金する。接客部４０は、紙幣を収容する収容器や、開口部を開閉するシャッタ、紙幣を１枚ずつに分離して繰り出すローラ等からなる分離機構４０ａ、及び搬送されてきた紙幣を集積する集積機構等を有している。この接客部４０は、使用者により紙幣が収容器に投入されると、シャッタを閉塞し、分離機構４０ａにより紙幣を１枚ずつに分離して、搬送部４１に順次引き渡す。また接客部４０は、搬送部４１から紙幣が搬送されてくると、これを集積機構により収容器内に順次放出して集積してから、シャッタを開放して使用者に受け取らせる。紙幣受け渡しのためのシャッタは、接客部４０の上側に位置する紙幣処理装置２０６にも設けられている。
【００６５】
搬送部４１は、紙幣処理部３８内の各部を結ぶ搬送路Ｙに沿って配置された各種ローラやベルト、並びにこれらを駆動するためのギアやモータ等により構成されている。また搬送部４１は、搬送路Ｙの分岐点に図示しない切替器を適宜配置している。この搬送部４１は、制御部３９の制御に基づき、搬送路Ｙに沿って紙幣を搬送すると共に、切替器により該紙幣の搬送先を切り替える。
【００６６】
鑑別部４２は、接客部４０の後方下側であって、搬送部４１の搬送路Ｙ上に配置されている。一時保留部４３は、接客部４０の後側に配置されており、搬送部４１により搬送されてきた紙幣を内部に一時的に収納して保留し、また保留している紙幣を１枚ずつ搬送部４１へ繰り出す。取り忘れ庫４７は、鑑別部４２の後方に配置されており、出金時に使用者により取り忘れられた紙幣を収納する。
【００６７】
紙幣処理部３８内の下部には、リジェクト庫４５が最も後側で、その前に紙幣カセット４４ａ、４４ｂ、４４ｃ、４４ｄ及び４４ｅが前後方向に並んで設けられている。以下では紙幣カセット４４ａ、４４ｂ、４４ｃ、４４ｄ及び４４ｅをまとめて紙幣カセット４４とも呼ぶ。
【００６８】
リジェクト庫４５は、内部に紙幣を収納する集積空間や、搬送部４１から搬送されてきた紙幣を該集積空間内へ放出して集積させる放出機構等を有している。このリジェクト庫４５は、鑑別部４２において再利用不可能と鑑別された紙幣（リジェクト券）が搬送部４１により搬送されてくると、内部に収納する。
【００６９】
かかる構成において紙幣処理装置２０６は、鑑別部４２による紙幣の鑑別結果等をもとに制御部３９が各部を制御して、入金処理、収納処理及び出金処理等を行う。
【００７０】
例えば使用者が紙幣処理装置２０６との間で入金取引を行う場合、制御部３９は、上位制御部３５等と連携しながら、接客部４０のシャッタを開いて紙幣を投入させる。接客部４０は、紙幣が投入されると、シャッタを閉じてから紙幣を１枚ずつに分離して分離機構４０ａにより搬送部４１へ引き渡す。搬送部４１は、受け取った紙幣を搬送すると共に鑑別部４２により鑑別させ、得られた鑑別結果を制御部３９へ通知する。これに応じて制御部３９は、各紙幣の搬送先を決定する。このとき制御部３９は、鑑別部４２において正常と鑑別された紙幣（いわゆる正券）を一時保留部４３へ搬送して一時的に保留させる一方、取引すべきでないと鑑別された紙幣（いわゆる損券や偽券等）を接客部４０へ搬送して使用者に返却する。
【００７１】
その後上位制御部３５は、操作表示部４６を介して使用者に入金金額を確定させる。制御部３９は、一時保留部４３に保留している紙幣を鑑別部４２へ搬送させてその金種及び損傷の程度等を鑑別させ、その鑑別結果を取得する。続いて制御部３９は、紙幣の損傷の程度が大きければ、これを再利用すべきでないリジェクト券として、リジェクト庫４５へ搬送して収納させる。また制御部３９は、紙幣の損傷の程度が小さければ、これを再利用すべき紙幣とし、その金種に応じた紙幣カセット４４へ搬送して収納させる。
【００７２】
一方、例えば使用者が紙幣処理装置２０６との間で出金取引を行う場合、上位制御部３５は、制御部３９等と連携しながら、操作表示部４６を介して所定の操作入力を受け付ける。その後、制御部３９は、出金すべき金額に応じた紙幣を紙幣カセット４４から繰り出させる。続いて制御部３９は、この紙幣を搬送部４１に引き渡し、該搬送部４１により鑑別部４２へ搬送して鑑別させた上で接客部４０へ搬送する。接客部４０は、シャッタを開いてこの紙幣を使用者に取り出させる。
【００７３】
［３−２．入金処理］
次に、紙幣処理装置２０６による入金処理手順ＲＴ２０１について、図１１及び図１２と対応するステップに同一符号を付した図１７及び図１８に示すフローチャートを用いて説明する。入金処理手順ＲＴ２０１は、入金処理手順ＲＴ１（図１１及び図１２）と比較して、ステップＳＰ１に代わるステップＳＰ２０１と、ステップＳＰ５に代わるステップＳＰ２０５と、ステップＳＰ６に代わるステップＳＰ２０６と、ステップＳＰ８に代わるステップＳＰ２０８と、ステップＳＰ１２に代わるステップＳＰ２１２と、ステップＳＰ１３に代わるステップＳＰ２１３と、ステップＳＰ１５及びＳＰ１６に代わるステップＳＰ２１５と、ステップＳＰ１９に代わるステップＳＰ２１９とが設けられている点において相違するものの、他の点については同様に構成されている。全体として、入金処理手順ＲＴ２０１は、入金処理手順ＲＴ１（図１１及び図１２）と比較して、入金部１２、第１出金部１３ａ及び第２出金部１３ｂが接客部４０に置き換わっている。
【００７４】
ステップＳＰ２０１において上位制御部３５は、使用者によりカード読取部３６にカードが挿入され接客部４０へ紙幣が挿入されるのを待ち受け、ステップＳＰ２〜ステップＳＰ４において入金処理手順ＲＴ１（図１１）と同様の処理を行い、ステップＳＰ２０５へ移る。
【００７５】
ステップＳＰ２０５において制御部３９は、装置側プログラムが入金計数開始指示を受けると、装置側プログラムにより、まず搬送部４１の搬送動作を開始した後に、接客部４０の分離機構４０ａによる紙幣分離動作を開始し、紙幣を接客部４０から１枚ずつ鑑別部４２へ搬送し、ステップＳＰ２０６へ移る。ステップＳＰ２０６において制御部３９は、接客部４０に挿入された紙幣を全て繰り出したことにより入金が完了したか否かを判定する。ここで否定結果が得られると、このとき制御部３９はステップＳＰ７へ移る。一方入金が正常に完了しステップＳＰ２０６において肯定結果が得られると、このとき制御部３９はステップＳＰ１７（図１８）へ移る。
【００７６】
ステップＳＰ７においてリジェクト券であるとの鑑別結果が得られると、このとき制御部３９はステップＳＰ２０８へ移る。ステップＳＰ２０８において制御部３９は、リジェクト券を鑑別部４２から接客部４０へ搬送し、ステップＳＰ２０６へ戻り、入金が完了するまで上述した処理を繰り返す。
【００７７】
一方ステップＳＰ７において正常券であるとの鑑別結果が得られると、このとき制御部３９はステップＳＰ９へ移る。ステップＳＰ９及びＳＰ１０において制御部３９は、入金処理手順ＲＴ１（図１１）と同様の処理を行い、ステップＳＰ２１２へ移る。ステップＳＰ２１２において制御部３９は、接客部４０の紙幣分離動作を搬送制御部３２により停止し、ステップＳＰ２１３（図１８）へ移る。この状態においては、図１６に示すように、紙幣処理装置２０６内には、未鑑別紙幣ＢＬ２０１、鑑別済入金限度金額以内紙幣ＢＬ２０２及び入金限度金額オーバー検知紙幣ＢＬ２０３の３種類の紙幣が存在している。入金限度金額オーバー検知紙幣ＢＬ２０３は、入金限度金額オーバーと判定された紙幣である。未鑑別紙幣ＢＬ２０１は、入金限度金額オーバー検知紙幣ＢＬ２０３の後続の紙幣、すなわち未だ鑑別部４２によって鑑別されていない紙幣である。鑑別済入金限度金額以内紙幣ＢＬ２０２は、正常券及びリジェクト券を含み、鑑別部４２において既に鑑別され一時保留部４３又は接客部４０へ搬送される紙幣のうち、入金限度金額オーバー検知紙幣ＢＬ２０３よりも先行する紙幣である。
【００７８】
また未鑑別紙幣ＢＬ２０１は、接客部繰出済紙幣ＢＬ２０１ａ、接客部分離途中紙幣ＢＬ２０１ｂ及び接客部残留紙幣ＢＬ２０１ｃの３種類の紙幣が存在している。接客部繰出済紙幣ＢＬ２０１ａは、鑑別部４２と接客部４０との間の搬送路Ｙに位置し接客部４０から既に繰り出されている紙幣である。接客部分離途中紙幣ＢＬ２０１ｂは、接客部繰出済紙幣ＢＬ２０１ａよりも後続であり接客部４０から繰り出されている途中、すなわち分離機構４０ａのローラに当接している紙幣である。接客部残留紙幣ＢＬ２０１ｃは、接客部分離途中紙幣ＢＬ２０１ｂよりも後続であり接客部４０内に集積されており未だ接客部４０から繰り出され始めていない、すなわち分離機構４０ａのローラに当接していない紙幣である。
【００７９】
ステップＳＰ２１３において制御部３９は、入金限度金額オーバー検知紙幣ＢＬ２０３と接客部繰出済紙幣ＢＬ２０１ａとを接客部４０へ搬送し、ステップＳＰ１４へ移る。このとき入金限度金額オーバー検知紙幣ＢＬ２０３よりも先行する鑑別済入金限度金額以内紙幣ＢＬ２０２は、接客部４０又は一時保留部４３へ搬送される。ステップＳＰ１４において制御部３９は、入金処理手順ＲＴ１（図１２）と同様の処理を行い、ステップＳＰ２１５へ移る。
【００８０】
ステップＳＰ２１５において制御部３９は、全ての搬送動作が停止すると、接客部４０から繰出中の紙幣である接客部分離途中紙幣ＢＬ２０１ｂと、接客部４０に残留した紙幣である接客部残留紙幣ＢＬ２０１ｃと、鑑別済入金限度金額以内紙幣ＢＬ２０２のうちのリジェクト券と、入金限度金額オーバー検知紙幣ＢＬ２０３と、接客部繰出済紙幣ＢＬ２０１ａとを使用者に受け渡し、ステップＳＰ１７へ移る。ステップＳＰ１７及びＳＰ１８において制御部３９は、入金処理手順ＲＴ１（図１２）と同様の処理を行い、ステップＳＰ２０へ移り入金処理手順ＲＴ２０１を終了する。
【００８１】
一方ステップＳＰ１７において否定結果が得られると、このとき制御部３９は、ステップＳＰ２１９へ移る。ステップＳＰ２１９において制御部３９は、一時保留部４３に集積された鑑別済入金限度金額以内紙幣ＢＬ２０２（正常券）を接客部４０へ搬送して使用者に受け渡し、ステップＳＰ２０へ移り入金処理手順ＲＴ２０１を終了する。
【００８２】
このように紙幣処理装置２０６は、入金部と出金部と分かれておらず１つの接客部４０が紙幣の挿入と受取を行う入金取引においても、入金限度金額オーバーを検知したら即座に搬送を停止するようにした。これにより紙幣処理装置２０６は、接客部４０に挿入された全紙幣を搬送しないため、無駄な搬送時間を削減できる。
【００８３】
その他の点においても、第３の実施の形態による紙幣処理システム２０１は、第１の実施の形態による紙幣処理システム１と同様の作用効果を奏し得る。
【００８４】
［４．他の実施の形態］
なお上述した第１の実施の形態においては、入金限度金額オーバーを検知すると、直ちに紙幣の搬送を停止させる場合について述べた。本発明はこれに限らず、要は、入金限度金額オーバーを検知すると、少なくとも入金部１２に投入された全ての紙幣が搬送部１５に繰り出されるよりも前に分離機構１２ａの駆動を停止させれば良い。その場合、入金限度金額に達したと判定された紙幣よりも１枚分後続の紙幣が鑑別部１６に到達するよりも前に、紙幣の搬送を停止させると好ましい。第２及び第３の実施の形態においても同様である。
【００８５】
また上述した第１の実施の形態においては、入金限度金額オーバーを検知すると、入金限度金額オーバー検知紙幣ＢＬ３の後続の紙幣が鑑別部１６に到達するよりも前に、紙幣の搬送を停止させる場合について述べた。本発明はこれに限らず、入金限度金額に達したと判定されても紙幣の搬送を継続して、入金限度金額オーバー検知紙幣ＢＬ３の後続紙幣に鑑別部１６を通過させ、該後続紙幣が入金限度金額オーバー検知紙幣ＢＬ３よりも少額の紙幣であり、該後続紙幣の金額を累計入金金額に加算しても入金限度金額を超えない場合、該後続紙幣を一時保留部１７へ保留した後に紙幣カセット１８へ収納し、該入金限度金額オーバー検知紙幣ＢＬ３は第２出金部１３ｂへ搬送して使用者に受け渡しても良い。その場合、入金する金額を可能な限り入金限度金額に近づけることができる。第２及び第３の実施の形態においても同様である。
【００８６】
さらに上述した第３の実施の形態においては、一時保留部４３を使用して入金取引を行う場合について述べた。本発明はこれに限らず、一時保留部４３を使用せずに、接客部４０から紙幣カセット４４へ直接紙幣を搬送しても良い。
【００８７】
さらに上述した第１の実施の形態においては、ホスト２が入金限度金額表ＴＢ１を保持する場合について述べた。本発明はこれに限らず、上位制御部４又は制御部１１が入金限度金額表ＴＢ１を保持しても良い。また、入金限度金額取扱部２９は、制御部１１が実現する機能ブロックであっても良い。第２及び第３の実施の形態においても同様である。
【００８８】
さらに上述した第１の実施の形態においては、上位制御部４と制御部１１とで連携して入金処理を行う場合について述べた。本発明はこれに限らず、制御部１１のみで入金処理を行っても良い。第２及び第３の実施の形態においても同様である。
【００８９】
さらに上述した第１の実施の形態においては、カード読取装置８と上位制御装置２０とが接続される構成について述べた。本発明はこれに限らず、カード読取装置８を上位制御装置２０に設け上位制御装置２０と一体化させてもよい。
【００９０】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００９１】
さらに上述した第１の実施の形態においては、入金限度金額取扱部としての入金限度金額取扱部２９を有する上位制御装置としての上位制御部４と、入金部としての入金部１２と、搬送部としての搬送部１５と、鑑別部としての鑑別部１６と、入金金額計数部としての入金金額計数部３０と、逐次比較部としての逐次比較部３１と、搬送制御部としての搬送制御部３２とを有する紙幣処理装置としての紙幣処理装置６とによって、紙幣処理システムとしての紙幣処理システム１を構成する場合について述べた。本発明はこれに限らず、その他種々の構成でなる入金限度金額取扱部を有する上位制御装置と、入金部と、搬送部と、鑑別部と、入金金額計数部と、逐次比較部と、搬送制御部とを有する紙幣処理装置とによって、紙幣処理システムを構成しても良い。
【産業上の利用可能性】
【００９２】
本発明は、紙幣等の紙葉状の媒体を集積し、外部から取り出させる種々の装置でも利用できる。
【符号の説明】
【００９３】
１、１０１、２０１……紙幣処理システム、２……ホスト、４……上位制御部、６、１０６、２０６……紙幣処理装置、８……カード読取装置、９……通信回線、１１、１１１……制御部、１２……入金部、１２ａ……分離機構、１３ａ……第１出金部、１３ｂ……第２出金部、１５……搬送部、Ｙ……搬送路、１６……鑑別部、１７……一時保留部、１８……紙幣カセット、１９……リジェクト庫、２０……上位制御装置、２１……表示部、２３……操作表示部、２４、２５……ボタン、２９……入金限度金額取扱部、３０……入金金額計数部、３１……逐次比較部、３２……搬送制御部、３４……ホスト、３５……上位制御部、３６……カード読取部、３７……通信回線、３８……紙幣処理部、３９……制御部、４０……接客部、４０ａ……分離機構、４１……搬送部、４２……鑑別部、４３……一時保留部、４４……紙幣カセット、４５……リジェクト庫、４６……操作表示部、４７……取り忘れ庫、４８……通信回線、ＢＬ１、ＢＬ２０１……未鑑別紙幣、ＢＬ２、ＢＬ２０２……鑑別済入金限度金額以内紙幣、ＢＬ３、ＢＬ２０３……入金限度金額オーバー検知紙幣、ＢＬ１ａ……入金部繰出済紙幣、ＢＬ１ｂ……入金部分離途中紙幣、ＢＬ１ｃ……入金部残留紙幣、ＢＬ２０１ａ……接客部繰出済紙幣、ＢＬ２０１ｂ……接客部分離途中紙幣、ＢＬ２０１ｃ……接客部残留紙幣、ＴＢ１、ＴＢ１０１……入金限度金額表。
【図１】
2020046828.tif 000003
【図２】
2020046828.tif 000004
【図３】
2020046828.tif 000005
【図４】
2020046828.tif 000006
【図５】
2020046828.tif 000007
【図６】
2020046828.tif 000008
【図７】
2020046828.tif 000009
【図８】
2020046828.tif 000010
【図９】
2020046828.tif 000011
【図１０】
2020046828.tif 000012
【図１１】
2020046828.tif 000013
【図１２】
2020046828.tif 000014
【図１３】
2020046828.tif 000015
【図１４】
2020046828.tif 000016
【図１５】
2020046828.tif 000017
【図１６】
2020046828.tif 000018
【図１７】
2020046828.tif 000019
【図１８】
2020046828.tif 000020